(57)【要約】  新たな電力の需要のピークを発生させることなく電力の需要のピークを抑制する。各需要家設備においては、放電制御装置が、蓄電池の放電および蓄電池から各需要家設備に対応する供給先への電力の供給を制御し、充電制御装置が、商用電源による蓄電池の充電を制御する。電気事業者設備においては、放電制御部が、放電制御装置を制御することにより蓄電池の放電および蓄電池から各需要家設備に対応する供給先への電力の供給を制御し、充電制御部が、充電制御装置を制御することにより商用電源による蓄電池の充電を制御する。その際には、各需要家設備に備えられる蓄電池が充電される時間帯が、複数の需要家設備のうちの各需要家設備以外の需要家設備に備えられる蓄電池が充電される時間帯からずれるようにされる。
2017195651.tif 000002
【特許請求の範囲】
【請求項１】
複数の供給先にそれぞれ対応する複数の需要家設備を備え、前記複数の需要家設備の各々である各需要家設備が、蓄電池と、前記蓄電池の放電および前記蓄電池から前記各需要家設備に対応する供給先への電力の供給を制御する放電制御装置と、商用電源による前記蓄電池の充電を制御する充電制御装置と、を備える需要家設備群と、
前記放電制御装置を制御することにより前記蓄電池の放電および前記蓄電池から前記各需要家設備に対応する供給先への電力の供給を制御する放電制御部と、前記各需要家設備に備えられる蓄電池が充電される時間帯が前記複数の需要家設備のうちの前記各需要家設備以外の需要家設備に備えられる蓄電池が充電される時間帯からずれるように前記充電制御装置を制御することにより商用電源による前記蓄電池の充電を制御する充電制御部と、を備える電気事業者設備と、
を備える電力需給を調整するシステム。
【請求項２】
前記充電制御部は、前記複数の供給先の消費電力と前記複数の需要家設備にそれぞれ備えられる複数の蓄電池の充電のために消費される消費電力との合計が供給電力の上限より少なくなるように前記蓄電池の充電を制御する
請求項１の電力需給を調整するシステム。
【請求項３】
複数の供給先にそれぞれ対応する複数の需要家設備の各々である各需要家設備に備えられる蓄電池の放電および前記蓄電池から前記各需要家設備に対応する供給先への電力の供給を制御する放電制御部と、
前記各需要家設備に備えられる蓄電池が充電される時間帯が前記複数の需要家設備のうちの前記各需要家設備以外の需要家設備に備えられる蓄電池が充電される時間帯からずれるように商用電源による前記蓄電池の充電を制御する充電制御部と、
を備える電力需給を調整するための電気事業者設備。
【請求項４】
前記充電制御部は、前記複数の供給先の消費電力と前記複数の需要家設備にそれぞれ備えられる複数の蓄電池の充電のために消費される消費電力との合計が供給電力の上限より少なくなるように前記蓄電池の充電を制御する
請求項３の電力需給を調整するための電気事業者設備。
【請求項５】
蓄電池と、
電気事業者設備による制御にしたがって、前記蓄電池の放電および前記蓄電池から供給先への電力の供給を制御する放電制御装置と、
前記電気事業者設備による制御にしたがって、前記蓄電池が充電される時間帯が他の需要家装置に備えられる蓄電池が充電される時間帯からずれるように商用電源による前記蓄電池の充電を制御する充電制御装置と、
を備える電力需給を調整するための需要家設備。
【請求項６】
a) 複数の供給先にそれぞれ対応する複数の需要家装置の各々である各需要家装置に備えられる蓄電池の放電および前記蓄電池から前記各需要家装置に対応する供給先への電力の供給を電気事業者が制御する工程と、
b) 前記各需要家設備に備えられる蓄電池が充電される時間帯が前記複数の需要家設備のうちの前記各需要家設備以外の需要家設備に備えられる蓄電池が充電される時間帯からずれるように商用電源による前記蓄電池の充電を電気事業者が制御する工程と、
を備える電力需給を調整する方法。
【請求項７】
工程b)は、前記複数の供給先の消費電力と前記複数の需要家設備にそれぞれ備えられる複数の蓄電池の充電のために消費される消費電力との合計が供給電力の上限より少なくなるように前記蓄電池の充電を制御する
請求項６の電力需給を調整する方法。
【発明の詳細な説明】
【技術分野】
【０００１】
本発明は、電力需給の調整に関し、特に、電力需給を調整するシステム、電力需給を調整するための電気事業者設備、電力需給を調整するための需要家設備および電力需給を調整する方法に関する。
【背景技術】
【０００２】
電力の需要は、時間によって変化する。電気事業者は、電力の需要のピークが到来した場合においても電力を安定して供給できるように発電設備、送配電設備等を準備する必要がある。このため、電気事業者により準備される発電設備、送配電設備等を縮小するためには、電力の需要のピークを抑制するピークカットが必要である。ピークカットは、電力の需要のピークが属する時間帯における電力消費の削減を需要家に動機付けることにより行われる場合もあるし、電力の需要のピークが属する時間帯における電力消費を当該時間帯以外の時間帯へ移動することにより行われる場合もある。【０００３】
特許文献１に記載された技術は、需給調整システムに関する。特許文献１に記載された技術においては、需要家が削減可能なエネルギー量に対するインセンティブが提示され、エネルギーの供給側と需要家との間でエネルギーの需給調整が行われる。特許文献１に記載された技術によれば、ピーク時のエネルギー需要が抑制される。【０００４】
特許文献２に記載された技術は、電力負荷平準化システムに関する。特許文献２に記載された技術においては、ピーク時刻を中心として蓄電装置の電力が使用される。特許文献２に記載された技術によれば、ピークカットの効果が発揮される。【０００５】
一方、スマートメータ、ホームエネルギーマネジメントシステム（ＨＥＭＳ）等の普及により、電力の使用状況の見える化が進み無駄な電力消費が削減されることが予想されている。また、電力自由化により無駄な電力消費を削減するための装置またはシステムの普及が進むことが予想されている。また、家庭用蓄電池等の普及により電力料金が安価な時間帯における電力の利用が進んでいる。
【先行技術文献】
【特許文献】
【０００６】
【特許文献１】国際公開第２０１３／１７９８７６号
【特許文献２】特開２００７−１４０６６号公報
【発明の概要】
【発明が解決しようとする課題】
【０００７】
電力の需要に無駄な電力消費が含まれる場合にピークカットが行われたときは、電力の需要のピークが属する時間帯における無駄な電力消費が削減され、当該時間帯以外の時間帯に新たな電力の需要のピークを発生させることなく、電力の需要のピークが抑制される。【０００８】
しかし、電力の需要に無駄な電力消費が含まれない場合にピークカットが行われたときは、電力の需要のピークが属する時間帯における電力消費が削減され電力の需要のピークが抑制されるが、当該時間帯以外の時間帯における電力消費が増加し新たな電力の需要のピークが発生する可能性がある。電力の需要のシフト先の時間帯は、需要家の間で共通する可能性が高いからである。例えば、需要家が一般家庭である場合は、消費電力は生活リズムとなるため、似通よった傾向が現れる。【０００９】
本発明は、この問題を解決するためになされる。本発明が解決しようとする課題は、新たな電力の需要のピークを発生させることなく電力の需要のピークを抑制することである。
【課題を解決するための手段】
【００１０】
本発明は、電力需給を調整するシステムに向けられる。【００１１】
電力需給を調整するシステムは、需要家設備群および電気事業者設備を備える。需要家設備群は、複数の供給先にそれぞれ対応する複数の需要家設備を備える。【００１２】
複数の需要家設備の各々である各需要家設備は、蓄電池、放電制御装置および充電制御装置を備える。放電制御装置は、蓄電池の放電および蓄電池から各需要家設備に対応する供給先への電力の供給を制御する。充電制御装置は、商用電源による蓄電池の充電を制御する。【００１３】
電気事業者設備は、放電制御部および充電制御部を備える。放電制御部は、放電制御装置を制御することにより蓄電池の放電および蓄電池から各需要家設備に対応する供給先への電力の供給を制御する。充電制御部は、充電制御装置を制御することにより商用電源による蓄電池の充電を制御する。その際には、各需要家設備に備えられる蓄電池が充電される時間帯が複数の需要家設備のうちの各需要家設備以外の需要家設備に備えられる蓄電池が充電される時間帯からずれるようにされる。【００１４】
本発明は、電力需給を調整するための電気事業者設備、電力需給を調整するための需要家設備および電力需給を調整する方法にも向けられる。
【発明の効果】
【００１５】
本発明によれば、電力の需要のピークにおいて蓄電池により放電された電力により電力の需要を賄うことが可能になり、電力の需要のピークが抑制される。また、蓄電池が充電される時間帯が分散され、蓄電池の充電のために新たな電力の需要のピークが発生することがない。【００１６】
この発明の目的、特徴、局面、および利点は、以下の詳細な説明と添付図面とによって、より明白となる。
【図面の簡単な説明】
【００１７】
【図１】電力需給を調整するシステムを示すブロック図である。
【図２】需要家の消費電力の時間変化の例を示すグラフである。
【図３】需要家の消費電力の時間変化の例を示すグラフである。
【図４】需要家の消費電力の時間変化の例を示すグラフである。
【図５】需要家の消費電力の時間変化および電気事業者から供給される供給電力の上限の例を示すグラフである。
【図６】需要家の消費電力の時間変化、蓄電池から需要家に供給される供給電力の時間変化および電気事業者から供給される供給電力の上限の目標の例を示すグラフである。
【図７】蓄電池の放電電力および充電電力の時間変化ならびに蓄電池の充電が禁止される時間帯の例を示すグラフである。
【図８】電気事業者から供給される供給電力の時間変化の例を示すグラフである。
【図９】蓄電池の充放電の制御の流れを示すフローチャートである。
【図１０】電力の供給先の変形例を示すブロック図である。
【発明を実施するための形態】
【００１８】
１  電力需給を調整するシステム
図１は、この実施の形態の電力需給を調整するシステムのブロック図である。
【００１９】
図１に示される電力需給を調整するシステム１０００は、電力需給が逼迫した場合に電力の需給を調整するために提供され、需要家設備群１０２２および電気事業者設備１０２４を備える。需要家設備群１０２２は、需要家設備１０４２，１０４４および１０４６を備える。
【００２０】
需要家設備１０４２，１０４４および１０４６は、それぞれ需要家１２４２，１２４４および１２４６の側に設置されるが、電気事業者の側から制御される。電気事業者設備１０２４は、電気事業者の側に設置され、電気事業者により管理される。需要家１２４２，１２４４および１２４６の各々は、一般家庭または事業者である。電気事業者は、典型的には発電、送配電および電力の小売の全部または一部を行う事業者である。
【００２１】
２  需要家設備
２．１  需要家設備と需要家との関係
需要家設備１０４２，１０４４および１０４６の各々は、商用電源１２６２から電力を受電する。需要家設備１０４２，１０４４および１０４６は、それぞれ需要家１２４２，１２４４および１２４６に対応し、それぞれ需要家１２４２，１２４４および１２４６に電力を供給する。
【００２２】
各々が電力の供給先となる３個の需要家１２４２，１２４４および１２４６が、各々が電力の供給先となる２個または４個以上の需要家に置き換えられてもよい。３個の需要家設備１０４２，１０４４および１０４６が、２個または４個以上の需要家にそれぞれ対応する２個または４個以上の需要家設備に置き換えられてもよい。
【００２３】
２．２  需要家設備
需要家設備１０４２は、蓄電池１０６２、放電制御装置１０６４および充電制御装置１０６６を備える。需要家設備１０４４は、蓄電池１０８２、放電制御装置１０８４および充電制御装置１０８６を備える。需要家設備１０４６は、蓄電池１１０２、放電制御装置１１０４および充電制御装置１１０６を備える。より一般的には、複数の需要家設備の各々である各需要家設備は、蓄電池、放電制御装置および充電制御装置を備える。
【００２４】
放電制御装置１０６４、充電制御装置１０６６、放電制御装置１０８４、充電制御装置１０８６、放電制御装置１１０４および充電制御装置１１０６の制御は、電気事業者に委ねられ、電気事業者により管理される電気事業者設備１０２４により行われる。これにより、需要家１２４２，１２４４および１２４６の電力の需要ならびに需要家１２４２，１２４４および１２４６への電力の供給が電気事業者によりまとめて管理され、蓄電池１０６２，１０８２および１１０２の充放電が電気事業者によりまとめて管理される。まとめて管理することは、効率的な電力供給システムを実現することを可能にする。
【００２５】
２．３  放電制御装置
放電制御装置１０６４は、蓄電池１０６２、商用電源１２６２および需要家１２４２の各々に、電力伝送が可能となるように接続され、電気事業者設備１０２４による制御にしたがって、蓄電池１０６２の放電を制御し、蓄電池１０６２から需要家１２４２への電力の供給を制御する。電力の供給の制御においては、蓄電池１０６２から需要家１２４２に電力が供給される状態と、商用電源１２６２から需要家１２４２に電力が供給される状態と、が切り替えられる。蓄電池１０６２および商用電源１２６２の両方から同時に需要家１２４２に電力が供給される状態への切り替えが可能であってもよい。
【００２６】
同様に、放電制御装置１０８４は、蓄電池１０８２、商用電源１２６２および需要家１２４４の各々に、電力伝送が可能となるように接続され、電気事業者設備１０２４による制御にしたがって、蓄電池１０８２の放電を制御し、蓄電池１０８２から需要家１２４４への電力の供給を制御する。電力の供給の制御においては、蓄電池１０８２から需要家１２４４に電力が供給される状態と、商用電源１２６２から需要家１２４４に電力が供給される状態と、が切り替えられる。蓄電池１０８２および商用電源１２６２の両方から同時に需要家１２４４に電力が供給される状態への切り替えが可能であってもよい。
【００２７】
同様に、放電制御装置１１０４は、蓄電池１１０２、商用電源１２６２および需要家１２４６の各々に、電力伝送が可能となるように接続され、電気事業者設備１０２４による制御にしたがって、蓄電池１１０２の放電を制御し、蓄電池１１０２から需要家１２４６への電力の供給を制御する。電力の供給の制御においては、蓄電池１１０２から需要家１２４６に電力が供給される状態と、商用電源１２６２から需要家１２４６に電力が供給される状態と、が切り替えられる。蓄電池１１０２および商用電源１２６２の両方から同時に需要家１２４６に電力が供給される状態への切り替えが可能であってもよい。
【００２８】
より一般的には、各需要家設備に備えられる放電制御装置は、電気事業者設備１０２４による制御にしたがって、各需要家設備に備えられる蓄電池の放電を制御し、当該蓄電池から各需要家設備に対応する需要家への電力の供給を制御する。
【００２９】
２．４  充電制御装置
充電制御装置１０６６は、蓄電池１０６２および商用電源１２６２の各々に、電力伝送が可能となるように接続され、電気事業者設備１０２４による制御にしたがって、商用電源１２６２による蓄電池１０６２の充電を制御する。
【００３０】
同様に、充電制御装置１０８６は、蓄電池１０８２および商用電源１２６２の各々に、電力伝送が可能となるように接続され、電気事業者設備１０２４による制御にしたがって、商用電源１２６２による蓄電池１０８２の充電を制御する。
【００３１】
同様に、充電制御装置１１０６は、蓄電池１１０２および商用電源１２６２の各々に、電力伝送が可能となるように接続され、電気事業者設備１０２４による制御にしたがって、商用電源１２６２による蓄電池１１０２の充電を制御する。
【００３２】
より一般的には、各需要家設備に備えられる充電制御装置は、電気事業者設備１０２４による制御にしたがって、商用電源１２６２による各需要家設備に備えられる蓄電池の充電を制御する。
【００３３】
３  電気事業者設備
３．１  放電制御部
電気事業者設備１０２４は、放電制御部１１２２を備える。放電制御部１１２２は、個別放電制御部１１４２，１１４４および１１４６を備える。
【００３４】
個別放電制御部１１４２，１１４４および１１４６は、それぞれ放電制御装置１０６４，１０８４および１１０４を遠隔制御する。これにより、個別放電制御部１１４２，１１４４および１１４６は、それぞれ蓄電池１０６２，１０８２および１１０２の放電を制御する。また、個別放電制御部１１４２，１１４４および１１４６は、それぞれ蓄電池１０６２から需要家１２４２への電力の供給、蓄電池１０８２から需要家１２４４への電力の供給および蓄電池１１０２から需要家１２４６への電力の供給を制御する。より一般的には、放電制御部１１２２は、各需要家設備に備えられる放電制御装置を制御することにより、各需要家設備に備えられる蓄電池の放電および当該蓄電池から各需要家設備に対応する需要家への電力の供給を制御する。
【００３５】
蓄電池１０６２から需要家１２４２への電力の供給、蓄電池１０８２から需要家１２４４への電力の供給および蓄電池１１０２から需要家１２４６への電力の供給は、互いに独立して制御可能である。このため、蓄電池１０６２から需要家１２４２に電力が供給される時間帯、蓄電池１０８２から需要家１２４４に電力が供給される時間帯および蓄電池１１０２から需要家１２４６に電力が供給される時間帯は、互いに独立して設定可能である。
【００３６】
放電制御部１１２２が行う処理の全部または一部が、電気事業者において手作業で行われてもよい。
【００３７】
３．２  充電制御部
電気事業者設備１０２４は、充電制御部１１２４を備える。充電制御部１１２４は、個別充電制御部１１６２，１１６４および１１６６を備える。
【００３８】
個別充電制御部１１６２，１１６４および１１６６は、それぞれ充電制御装置１０６６，１０８６および１１０６を遠隔制御する。これにより、個別充電制御部１１６２，１１６４および１１６６は、それぞれ商用電源１２６２による蓄電池１０６２，１０８２および１１０２の充電を制御する。より一般的には、充電制御部１１２４は、各需要家設備に備えられる充電制御装置を制御することにより、商用電源１２６２による各需要家設備に備えられる蓄電池の充電を制御する。
【００３９】
蓄電池１０６２の充電、蓄電池１０８２の充電および蓄電池１１０２の充電は、互いに独立して制御可能である。このため、蓄電池１０６２が充電される時間帯、蓄電池１０８２が充電される時間帯および蓄電池１１０２が充電される時間帯は、互いに独立して設定可能である。
【００４０】
充電制御部１１２４が行う処理の全部または一部が、電気事業者において手作業で行われてもよい。
【００４１】
３．３  消費電力監視部
電気事業者設備１０２４は、消費電力監視部１１２６を備える。消費電力監視部１１２６は、現在監視部１１８２および予定監視部１１８４を備える。現在監視部１１８２は、供給先監視部１２０２および蓄電池監視部１２０４を備える。予定監視部１１８４は、供給先監視部１２２２および蓄電池監視部１２２４を備える。
【００４２】
消費電力監視部１１２６は、放電制御部１１２２および充電制御部１１２４の各々に、データ伝送が可能となるように接続される。
【００４３】
現在監視部１１８２に備えられる供給先監視部１２０２は、需要家１２４２，１２４４および１２４６の現在の消費電力を監視する。
【００４４】
現在監視部１１８２に備えられる蓄電池監視部１２０４は、蓄電池１０６２，１０８２および１１０２の充電のために消費される現在の消費電力を監視する。
【００４５】
予定監視部１１８４に備えられる供給先監視部１２２２は、需要家１２４２，１２４４および１２４６の予定消費電力を監視する。
【００４６】
予定監視部１１８４に備えられる蓄電池監視部１２２４は、蓄電池１０６２，１０８２および１１０２の充電のために消費される予定消費電力を監視する。
【００４７】
４  需要家の消費電力の時間変化
図２，３および４の各々は、需要家の消費電力の時間変化の例を示すグラフである。図５は、需要家の消費電力の時間変化および電気事業者から供給される供給電力の上限の例を示すグラフである。
【００４８】
図２，３，４および５の各々は、需要家１２４２，１２４４および１２４６の各々が一般家庭である場合の例を示す。
【００４９】
図２，３および４にそれぞれ示される需要家１２４２，１２４４および１２４６の消費電力の時間変化は、互いに類似する。このため、図５に示されるように、需要家１２４２，１２４４および１２４６の消費電力の合計は、２０時から２１時までの時間帯にピークを有し、２０時から２１時までの時間帯において電気事業者から供給される供給電力の上限を超過する。２０時から２１時までの時間帯における需要家１２４２，１２４４および１２４６の消費電力の合計と電気事業者から供給される供給電力の上限との差である超過分は、需要家１２４２，１２４４および１２４６の全部または一部に電力消費を削減することに対する見返りを与えることにより解消される可能性がある。見返りは、例えば、オークション形式により与えられる。しかし、見返りを与えることにより超過分が解消された場合は、需要家１２４２，１２４４および１２４６の消費電力の合計が２０時から２１時までの時間帯以外の時間帯にピークを有するようになる可能性がある。
【００５０】
需要家１２４２，１２４４および１２４６の各々が一般家庭でない場合も、需要家１２４２，１２４４および１２４６の消費電力の合計がピークを有する時間帯が需要家１２４２，１２４４および１２４６の各々が一般家庭である場合のそれとは異なる可能性があるが、同様のことが言える。
【００５１】
５  蓄電池の充放電の制御
電力需給を調整するシステム１０００においては、需要家１２４２，１２４４および１２４６の消費電力の合計がピークを迎える時間帯に蓄電池１０６２，１０８２および１１０２から需要家１２４２，１２４４および１２４６に電力が供給され、電力の需要のピークが抑制される。また、蓄電池１０６２，１０８２および１１０２が充電される時間帯が分散され、蓄電池１０６２，１０８２および１１０２の充電が新たな電力の需要のピークを発生させないようにされる。以下では、この点について具体例を参照しながら説明する。
【００５２】
図６は、需要家の消費電力の時間変化、蓄電池から需要家に供給される供給電力の時間変化および電気事業者から供給される供給電力の上限の目標の例を示すグラフである。図７は、蓄電池の放電電力および充電電力の時間変化ならびに蓄電池の充電が禁止される時間帯の例を示すグラフである。図８は、電気事業者から供給される供給電力の時間変化の例を示すグラフである。
【００５３】
図６に示される電気事業者から供給される供給電力の上限の目標は、電気事業者が供給できる供給電力の上限を示す。電気事業者から供給される供給電力の上限の目標を低下させることができた場合は、電気事業者が準備しなければならない発電設備、送配電設備等を縮小することができる。
【００５４】
需要家１２４２，１２４４および１２４６の消費電力が図６に示されるものである場合は、７時から８時までの時間帯、１９時から２０時までの時間帯、２０時から２１時までの時間帯および２１時から２２時までの時間帯の各々において、需要家１２４２，１２４４および１２４６の消費電力の合計が電気事業者から供給される供給電力の上限の目標を超過する。
【００５５】
しかし、図６に示されるように、７時から８時までの時間帯および１９時から２０時までの時間帯の各々には、蓄電池１１０２から需要家１２４６に電力が供給されるように個別放電制御部１１４６による制御が行われ、超過分が解消される。また、２０時から２１時までの時間帯および２１時から２２時までの時間帯の各々には、蓄電池１０６２から需要家１２４２に電力が供給されるように個別放電制御部１１４２による制御が行われ、蓄電池１０８２から需要家１２４４に電力が供給されるように個別放電制御部１１４４による制御が行われ、超過分が解消される。
【００５６】
その結果として、図７に示されるように、７時から８時までの時間帯および１９時から２０時までの時間帯の各々に蓄電池１１０２が放電させられ、２０時から２１時までの時間帯および２１時から２２時までの時間帯の各々に蓄電池１０６２および蓄電池１０８２の各々が放電させられる。
【００５７】
このように放電させられた蓄電池１０６２，１０８２および１１０２は、充電されなければならない。このため、図７に示されるように、１時から２時までの時間帯には、商用電源１２６２により蓄電池１１０２が充電されるように個別充電制御部１１６６による制御が行われる。また、２時から３時までの時間帯には、商用電源１２６２により蓄電池１０８２が充電されるように個別充電制御部１１６４による制御が行われる。また、３時から４時までの時間帯には、商用電源１２６２により蓄電池１０６２が充電されるように個別充電制御部１１６２による制御が行われる。より一般的には、蓄電池１０６２，１０８２および１１０２の各々である各蓄電池が充電される時間帯が蓄電池１０６２，１０８２および１１０２のうちの各蓄電池以外の充電池が充電される時間からずれるように各蓄電池の充電を制御する個別充電制御部により各蓄電池の充電が制御される。これにより、蓄電池１０６２，１０８２および１１０２が充電される時間帯が分散させられる。したがって、図７に示されるように、蓄電池１１０２が充電される１時から２時までの時間帯に蓄電池１０８２が充電されることはない。
【００５８】
蓄電池１０６２，１０８２および１１０２の各々が充電される時間帯は、充電制御部１１２４により調整され、図７に示されるように、需要家１２４２，１２４４または１２４６が電力を消費していない時間帯から選択される。需要家１２４２，１２４４または１２４６が電力を消費している時間帯においては、蓄電池１０６２，１０８２および１１０２の充電が禁止される。
【００５９】
需要家１２４２，１２４４または１２４６が電力を消費している時間帯を考慮して蓄電池１０６２，１０８２および１１０２が充電される時間帯を制御することにより、図８に示されるように、電気事業者から供給される供給電力が、低く設定された供給電力の上限より少なくなる。これにより、発電設備、送配電設備等を縮小でき、電力料金が総合的に抑制される。
【００６０】
６  蓄電池の充電の制御の流れ
図９は、蓄電池の充電の制御の流れを示すフローチャートである。
【００６１】
図９に示されるステップＳ１０１において充電されなければならない蓄電池、すなわち充電の対象に追加されることが予定された充電予定の蓄電池が発生した場合は、ステップＳ１０２からＳ１０６までにおいて充電予定の蓄電池の充電を直ちに開始できるか否かが調べられる。また、充電予定の蓄電池の充電を直ちに開始できる場合は、ステップＳ１０７において充電予定の蓄電池の充電が直ちに開始され、充電予定の蓄電池の充電を直ちに開始できない場合は、ステップＳ１０８からＳ１１３までにおいて充電予定の蓄電池の充電が予約される。
【００６２】
ステップＳ１０１に続くステップＳ１０２においては、充電予定の蓄電池の充電のために消費されている消費電力Ａが蓄電池監視部１２０４により取得される。
【００６３】
ステップＳ１０２に続くステップＳ１０３においては、蓄電池１０６２，１０８２および１１０２のうちの充電予定の蓄電池以外の蓄電池の充電のために消費されている現在の消費電力Ｂが蓄電池監視部１２０４により取得される。
【００６４】
ステップＳ１０３に続くステップＳ１０４においては、需要家１２４２，１２４４および１２４６の現在の消費電力Ｃが供給先監視部１２０２により取得される。
【００６５】
ステップＳ１０４に続くステップＳ１０５においては、現在の消費電力の合計Ａ＋Ｂ＋Ｃが算出される。
【００６６】
ステップＳ１０５に続くステップＳ１０６においては、算出された現在の消費電力の合計Ａ＋Ｂ＋Ｃと電気事業者から供給される供給電力の上限とが充電予定の蓄電池の充電を制御する個別充電制御部により比較され、合計Ａ＋Ｂ＋Ｃが上限を超過しない場合は、処理がステップＳ１０７に進められ、合計Ａ＋Ｂ＋Ｃが上限を超過する場合は、処理がステップＳ１０８に進められる。
【００６７】
ステップＳ１０７においては、充電予定の蓄電池の充電が充電予定の蓄電池の充電を制御する個別充電制御部により開始される。これにより、充電予定の蓄電池の充電が直ちに開始されても需要家１２４２，１２４４および１２４６の消費電力と蓄電池１０６２，１０８２および１１０２の充電のために消費される消費電力との合計が上限を超過しない場合は、充電予定の蓄電池の充電が直ちに開始される。
【００６８】
ステップＳ１０８においては、予定時間帯において蓄電池１０６２，１０８２および１１０２のうちの充電予定の蓄電池以外の蓄電池の充電のために消費される消費電力である予定消費電力Ｄが蓄電池監視部１２２４により取得される。
【００６９】
ステップＳ１０８に続くステップＳ１０９においては、予定時間帯における需要家１２４２，１２４４および１２４６の蓄電池による電力消費分を削除した消費電力の合計である予定消費電力Ｅが供給先監視部１２２２により取得される。
【００７０】
ステップＳ１０９に続くステップＳ１１０においては、予定消費電力の合計Ａ＋Ｄ＋Ｅが算出される。
【００７１】
ステップＳ１１０に続くステップＳ１１１においては、算出された予定消費電力の合計Ａ＋Ｄ＋Ｅと電気事業者から供給される供給電力の上限とが充電予定の蓄電池の充電を制御する個別充電制御部により比較され、合計Ａ＋Ｄ＋Ｅが上限を超過しない場合は、処理がステップＳ１１２に進められ、合計Ａ＋Ｄ＋Ｅが上限を超過する場合は、処理がステップＳ１１３に進められる。
【００７２】
ステップＳ１１２においては、予定消費電力Ｄおよび予定消費電力Ｅの取得に使用された予定時間帯が充電予定の蓄電池が充電される時間帯に設定される。
【００７３】
ステップＳ１１３においては、予定時間帯が変更され、処理が再びステップＳ１０８に進められる。これにより、合計Ａ＋Ｄ＋Ｅが上限を超過しない時間帯が発見されるまでステップＳ１０８からＳ１１１までが繰り返し実行される。
【００７４】
この蓄電池の充電の制御によれば、需要家１２４２，１２４４および１２４６の消費電力と蓄電池１０６２，１０８２および１１０２の充電のために消費される電力との合計が上限より少なくなるように商用電源１２６２による蓄電池１０６２，１０８２および１１０２の充電が制御される。
【００７５】
７  電力の供給先の変形例
図１０に示されるように、ひとつの需要家１２４２からなる供給先が需要家集団１２８２からなる供給先に置き換えられてもよく、ひとつの需要家１２４４からなる供給先が需要家集団１２８４からなる供給先に置き換えられてもよく、ひとつの需要家１２４６からなる供給先が需要家集団１２８６からなる供給先に置き換えられてもよい。これにより、需要家集団がひとつの需要家設備に対応し、需要家設備群に備えられる需要家設備の数が減少する。このことは、電気事業者設備１０２４にかかる制御負荷を抑制し放電制御部１１２２および充電制御部１１２４が処理しなければならないデータの量を減らすことに寄与する。したがって、電力需給を調整するシステム１０００に要求される処理能力が低下する。ひとつの需要家からなる供給先と需要家集団からなる供給先とが混在してもよい。
【００７６】
需要家集団１２８２，１２８４および１２８６の各々である各需要家集団は、同一のコミュニティーに属する。例えば、各需要家集団は、ひとつの区画または地域に属する需要家集団であってもよいし、電気事業者との電力供給の契約形態が同一である需要家集団であってもよいし、事業の職種が同一である需要家集団であってもよい。
【００７７】
８  実施の形態の利点
この実施の形態によれば、電力の需要のピークにおいて蓄電池１０６２，１０８２および１１０２により放電された電力により電力の需要を賄うことが可能になり、電力の需要のピークが抑制される。また、蓄電池１０６２，１０８２および１１０２が充電される時間帯が分散され、蓄電池１０６２，１０８２および１１０２の充電のために新たな電力の需要のピークが発生することが抑制される。
【００７８】
なお、本発明は、その発明の範囲内において、実施の形態を適宜、変形、省略することが可能である。
【００７９】
この発明は詳細に説明されたが、上記した説明は、すべての局面において、例示であって、この発明がそれに限定されるものではない。例示されていない無数の変形例が、この発明の範囲から外れることなく想定され得るものと解される。
【符号の説明】
【００８０】
１０００  電力需給を調整するシステム、１０２２  需要家設備群、１０２４  電気事業者設備、１０４２，１０４４，１０４６  需要家設備、１０６２，１０８２，１１０２  蓄電池、１０６４，１０８４，１１０４  放電制御装置、１０６６，１０８６，１１０６  充電制御装置、１１２２  放電制御部、１１２４  充電制御部、１１２６  消費電力監視部、１２４２，１２４４，１２４６  需要家、１２６２  商用電源、１２８２，１２８４，１２８６  需要家集団。
【図１】
2017195651.tif 000003
【図２】
2017195651.tif 000004
【図３】
2017195651.tif 000005
【図４】
2017195651.tif 000006
【図５】
2017195651.tif 000007
【図６】
2017195651.tif 000008
【図７】
2017195651.tif 000009
【図８】
2017195651.tif 000010
【図９】
2017195651.tif 000011
【図１０】
2017195651.tif 000012
【国際調査報告】
2017195651.tif 000013
2017195651.tif 000014
2017195651.tif 000015
2017195651.tif 000016